(57)【要約】【課題】管理情報を、早く確実に読み出すことができるように記録することができる光情報記録方法を提供する。【解決手段】光学機構が、情報光と参照光との干渉によって生じる干渉縞によってホログラムとして情報を記録可能な情報記録層を有する光情報記録媒体１１１に情報光を集光させるとともに、参照光を情報光と情報記録層において交差するように光情報記録媒体１１１に照射し、システムコントローラ１４０が、光情報記録媒体１１１または光学機構を駆動するアクチュエータ１３０と、参照光と光情報記録媒体１１１の間の相対角度を変化させて情報記録層に情報の角度多重記録を行い、管理情報を記録する場合には、少なくとも第１ヌル角度の２倍の角度よりも小さな角度間隔の２つ以上の相対角度において、同一の管理情報を記録することを特徴とする光情報記録方法。【選択図】        図１
2010225243.tif 000002
【特許請求の範囲】
【請求項１】
空間光変調器が、光源から出射された照射光を、情報を担持する情報光に変換する変換ステップと、
光学機構が、前記情報光と参照光との干渉によって生じる干渉縞によってホログラムとして前記情報を記録可能な情報記録層を有する光情報記録媒体に前記情報光を集光させるとともに、前記参照光を前記情報光と前記情報記録層において交差するように前記光情報記録媒体に照射する照射ステップと、
制御手段が、前記光源から前記照射光を射出させ、駆動部を制御して前記光情報記録媒体または前記光学機構を駆動させることにより前記情報光および前記参照光と前記光情報記録媒体の間の相対角度を変化させて前記情報記録層に前記情報の角度多重記録を行い、ユーザからの指示により前記光情報記録媒体に記録されたユーザ情報を読み出す際に利用する管理情報を記録する場合には、少なくとも第１ヌル角度の２倍の角度よりも小さな角度間隔の２つ以上の前記相対角度において、同一の前記管理情報を記録する制御ステップと
を有することを特徴とする光情報記録方法。
【請求項２】
前記制御ステップにおいては、前記情報光と前記参照光の照射を継続しつつ、前記相対角度を変化させることにより、同一の前記管理情報を連続的に多重記録することを特徴とする請求項１に記載の光情報記録方法。
【請求項３】
前記変換ステップにおいては、前記照射光を、前記空間光変調器における少なくとも２以上のピクセルにより、１ビットの前記管理情報を表現する前記情報光に変換することを特徴とする請求項１または２に記載の光情報記録方法。
【請求項４】
前記制御ステップにおいては、前記管理情報として、ユーザからの指示により前記光情報記録媒体に記録されたユーザ情報の前記光情報記録媒体における物理位置を示すアドレス情報を記録することを特徴とする請求項１から３のいずれか一項に記載の光情報記録方法。
【請求項５】
前記制御ステップにおいては、前記管理情報として、ユーザからの指示により前記光情報記録媒体に記録されたユーザ情報の記録時の温度を記録することを特徴とする請求項１から４のいずれか一項に記載の光情報記録方法。
【請求項６】
前記制御ステップにおいては、前記管理情報として、ユーザからの指示により前記光情報記録媒体に記録されたユーザ情報の記録時の前記相対角度の角度間隔を記録することを特徴とする請求項１から５のいずれか一項に記載の光情報記録方法。
【請求項７】
前記制御ステップにおいては、前記管理情報として、ユーザからの指示により前記光情報記録媒体に記録されたユーザ情報の記録時の前記光源の波長を記録することを特徴とする請求項１から６のいずれか一項に記載の光情報記録方法。
【請求項８】
前記制御ステップにおいては、第１ヌル角度に比べて大きい角度範囲において前記相対角度を前記角度間隔おきに、前記管理情報を複数記録することを特徴とする請求項１から７のいずれか一項に記載の情報記録方法。
【請求項９】
前記制御ステップにおいては、第１ヌル角度に比べて大きい第１角度範囲において前記角度間隔おきに第１の管理情報を複数記録し、第１ヌル角度に比べて大きい第２角度範囲であって、前記第１角度範囲から第１ヌル角度よりも大きい角度だけ離れた角度範囲である第２角度範囲において前記角度間隔おきに第２の管理情報を複数記録することを特徴とする請求項８に記載の情報記録方法。
【請求項１０】
光源から出射された照射光を、情報を担持する情報光に変換する空間光変調器と、
前記情報光と参照光との干渉によって生じる干渉縞によってホログラムとして前記情報を記録可能な情報記録層を有する光情報記録媒体に前記情報光を集光させるとともに、前記参照光を前記情報光と前記情報記録層において交差するように前記光情報記録媒体に照射する光学機構と、
前記光情報記録媒体または前記光学機構を駆動する駆動部と、
前記光源から前記照射光を射出させ、前記光情報記録媒体または前記光学機構を駆動させることにより前記情報光および前記参照光と前記光情報記録媒体の間の相対角度を変化させて前記情報記録層に前記情報の角度多重記録を行い、ユーザからの指示により前記光情報記録媒体に記録されたユーザ情報を読み出す際に利用する管理情報を記録する場合には、少なくとも第１ヌル角度の２倍の角度よりも小さな角度間隔の２つ以上の前記相対角度において、同一の前記管理情報を記録する制御手段と
を備えたことを特徴とする光情報記録装置。
【発明の詳細な説明】
【技術分野】
【０００１】
本発明は、情報をホログラムとして記録する光情報記録方法および装置に関するものである。
【背景技術】
【０００２】
ＣＤ（Ｃｏｍｐａｃｔ  Ｄｉｓｋ）やＤＶＤ（Ｄｉｇｉｔａｌ  Ｖｅｒｓａｔｉｌｅ  Ｄｉｓｋ）、Ｂｌｕ−ｒａｙ  Ｄｉｓｃ、ＨＤ  ＤＶＤ（Ｈｉ−Ｄｅｆｉｎｉｔｉｏｎ  Ｄｉｇｉｔａｌ  Ｖｅｒｓａｔｉｌｅ  Ｄｉｓｋ）等に代表される光情報記録媒体は、これまで主としてレーザ光の短波長化および対物レンズの開口数（ＮＡ）の増大により記録密度の増加に対応してきた。しかしながら、そのいずれもが技術的な理由などにより限界に近付いていると言われており、その他の手段・方式による記録密度の増大が要望されている。
【０００３】
種々の提案の中で、近年、ホログラフィを用いた体積記録型の高密度記録（以下、「ホログラフィックメモリ」という。）およびホログラフィックメモリの記録再生装置の開発が実用化に向けて行われている。ホログラフィックメモリの記録方式においては、まず液晶素子やデジタル・マイクロミラー・デバイス等の空間光変調器（ＳＬＭ：Ｓｐａｔｉａｌ  Ｌｉｇｈｔ  Ｍｏｄｕｌａｔｏｒ）によってレーザ光を空間的に変調して情報を担持する情報光を得る。さらに、情報光と同一波長で一般的には情報光と同一光源から参照光を生成する。そして、情報光と参照光とを、光情報記録媒体中の同一箇所に照射し、その際に情報光と参照光とによってできる光の干渉縞を光情報記録媒体中に記録するものである。
【０００４】
ホログラフィックメモリの再生の際には、参照光のみを照射することにより、記録時の情報光が再現され、記録時に変調した情報を取得することができる。ＤＶＤなどが記録面上に記録マークを記録する、いわゆる面記録方式であるのに対して、ホログラフィック光ディスクは、情報記録層の厚み方向への記録が可能な体積記録方式である。このため、ＤＶＤなどに比べて大きな記録密度を獲得できる。
【０００５】
またＤＶＤなどの場合、記録マークは一般的にＯＮ／ＯＦＦのビットデータを表すが、ホログラフィックメモリの場合、情報光は比較的大量の情報により一括して変調されて干渉縞として記録される。この一組の情報は、光情報記録媒体に保持する情報光の変調パターンで、白黒のドットで構成された２次元バーコード状の記録再生の単位であり、ページデータと呼ばれる。
【０００６】
ホログラフィックメモリの記録密度を増大させる方法の一つに、多重記録方式がある。この多重記録方式は、ホログラフィックメモリの同一の場所に複数のページデータを記録する方式である。多重記録方式としては、レーザ光の照射角度をずらす角度多重記録、レーザ光の照射位置をわずかにずらすシフト多重記録、レーザ光の波長をずらす波長多重記録など種々の方式が考案されている。
【０００７】
角度多重記録方式やシフト多重方式では、レーザ光とホログラフィックメモリ記録媒体との相対位置や相対角度を変化させることにより多重記録を実現する。特に角度多重記録方式は従来のＣＤやＤＶＤなどには見られなかった方式であり、情報光と参照光との干渉位置に生じる干渉縞を媒体記録層に記録するいわゆる２光束干渉方式においては必須である。
【０００８】
角度多重記録方式では、レーザ光ではなく記録媒体を回転させて角度多重記録を行う技術と、レーザ光を記録媒体周りに回転させて角度多重を行う技術の、代表的な２種類が考えられている。回転させる軸は情報光と参照光の入射面（ｘ−ｚ平面）に直角な軸（ｙ軸）とするのが一般的である。なお以降はこれらの回転をθｙ回転、これらの回転による多重をθｙ多重と呼ぶ。
【０００９】
またホログラフィックメモリ記録媒体材料としては、近年フォトポリマーを用いたものが研究・開発され、すでに製品化に近い状態のものもある。フォトポリマーとは、光に感応して屈折率変化を起こす有機材料であり、有機材料により反応の仕組みも様々である。一般的に、このフォトポリマーは固まると柔らかなゴム状となるため、単体では保持が難しい。そのため二枚のガラス基板で、ある適当な厚さのスペーサを挟み、その間隙にフォトポリマーを流し込み固化させることにより、両側のガラス基板で記録媒体を保持する構造になっている。
【００１０】
このフォトポリマーを使用した記録媒体は作製が容易であるという特徴を持つが、温度変化に弱いという欠点がある。原因として、ガラス基板とフォトポリマーの線膨張係数が二桁程度も異なる点、温度によるフォトポリマーの屈折率変化が大きい点が挙げられる。記録媒体への情報の書き込み時と読み出し時で温度が異なる場合、記録された回折格子が変形してしまう。これは、記録媒体の温度変化による歪みが基板に並行な方向はガラス基板の線膨張率に従い、基板に垂直な方向はフォトポリマーの線膨張率に従って生じるためである。これにより、同じページデータの中でも再生条件が異なる、すなわち一部しか再生されないという問題が生じてしまう。
【００１１】
あるページデータをあるθｙ角度で記録し、次に異なるページデータを記録する際、再生時に隣接ページからのクロストークがないように、θｙ角度を変えて記録する。ページデータを再生する場合、記録時と再生時とで温度変化がなければ、図１１−１のように全面にわたってきれいな再生像が得られる。しかし、記録時と再生時で温度が異なる場合、上記したように、記録媒体中の回折格子が歪み、再生条件からずれる。このため、図１１−２のように一部しか再生されなくなってしまう。温度差が大きければ大きいほど再生される領域は狭くなる。さらにθｙ角度多重している場合、回折格子の歪みにより、あるページの再生条件が隣接ページの一部領域の再生条件とも合致してしまう。この場合、例えば図１１−３に示すように、所望のページデータの一部と同時に、いくつかの隣接ページの一部分が並んで再生されてしまう。このようにθｙ角度多重している場合には、温度変化が生じると、再生はさらに困難になる。
【００１２】
このような温度変化に起因した不具合を解決する方法として、記録時の温度を記録し、再生時には、この記録を参照しながら波長をチューニングする方法がある（特許文献１）。
【先行技術文献】
【特許文献】
【００１３】
【特許文献１】特開２００６−２６７５５４号公報
【発明の概要】
【発明が解決しようとする課題】
【００１４】
上述の方法においては、記録した温度などを最初に読み出す必要がある。しかしながら初期状態では当然ながら読み出しに最適な波長や角度がわからず、読み出しに時間がかかってしまうことがある。さらに、温度変化が大きな場合には、最適な値を特定することができず、読み出しができなくなってしまう可能性もある。
【００１５】
本発明は、上記に鑑みてなされたものであって、記録時の温度情報など光情報記録媒体を再生する際に必要な情報を、早く確実に読み出すことができるように記録することができる光情報記録方法および装置を提供することを目的とする。
【課題を解決するための手段】
【００１６】
上述した課題を解決し、目的を達成するために、本発明にかかる光情報記録方法であって、空間光変調器が、光源から出射された照射光を、情報を担持する情報光に変換する変換ステップと、光学機構が、前記情報光と参照光との干渉によって生じる干渉縞によってホログラムとして前記情報を記録可能な情報記録層を有する光情報記録媒体に前記情報光を集光させるとともに、前記参照光を前記情報光と前記情報記録層において交差するように前記光情報記録媒体に照射する照射ステップと、制御手段が、前記光源から前記照射光を射出させ、駆動部を制御して前記光情報記録媒体または前記光学機構を駆動させることにより前記情報光および前記参照光と前記光情報記録媒体の間の相対角度を変化させて前記情報記録層に前記情報の角度多重記録を行い、ユーザからの指示により前記光情報記録媒体に記録されたユーザ情報を読み出す際に利用する管理情報を記録する場合には、少なくとも第１ヌル角度の２倍の角度よりも小さな角度間隔の２つ以上の前記相対角度において、同一の前記管理情報を記録する記録ステップとを有することを特徴とする。
【００１７】
また、本発明の他の形態は、光情報記録装置であって、光源から出射された照射光を、情報を担持する情報光に変換する空間光変調器と、前記情報光と参照光との干渉によって生じる干渉縞によってホログラムとして前記情報を記録可能な情報記録層を有する光情報記録媒体に前記情報光を集光させるとともに、前記参照光を前記情報光と前記情報記録層において交差するように前記光情報記録媒体に照射する光学機構と、前記光情報記録媒体または前記光学機構を駆動する駆動部と、前記光源から前記照射光を射出させ、前記光情報記録媒体または前記光学機構を駆動させることにより前記情報光および前記参照光と前記光情報記録媒体の間の相対角度を変化させて前記情報記録層に前記情報の角度多重記録を行い、ユーザからの指示により前記光情報記録媒体に記録されたユーザ情報を読み出す際に利用する管理情報を記録する場合には、少なくとも第１ヌル角度の２倍の角度よりも小さな角度間隔の２つ以上の前記相対角度において、同一の前記管理情報を記録する制御手段とを備えたことを特徴とする。
【発明の効果】
【００１８】
本発明によれば、ユーザにより記録されたユーザ情報を読み出す際に必要な管理情報を記録する際には、クロストークが生じる角度により定まる少なくとも２つ以上の相対角度において同一の管理情報を記録するので、再生条件からずれた場合であってもいずれかの管理情報を読み出すことができる。これにより、早く確実に管理情報を読み出すことができる。したがって、光情報記録媒体を装置にセットしてから、ユーザ情報を読み出すまでの時間を短縮することができるという効果を奏する。
【図面の簡単な説明】
【００１９】
【図１】ホログラフィックメモリ記録再生装置１００の構成を示す図である。
【図２】管理情報記録処理の手順を示すフローチャートである。
【図３】隣接ページ間のクロストークを示す図である。
【図４】隣接ページの角度間隔と回折効率の関係を説明するための図である。
【図５】管理情報記録処理により記録された管理情報を模式的に示す図である。
【図６】管理情報再生処理の手順を示すフローチャートである。
【図７】管理情報再生時のθｙ角度を説明するための図である。
【図８】管理情報再生処理により読み出された管理情報のページデータを模式的に示す図である。
【図９】空間光変調器のビット表示を説明するための図である。
【図１０】空間光変調器のビット表示を説明するための図である。
【図１１−１】従来の記録方式により記録される情報の再生イメージを示す図である。
【図１１−２】従来の記録方式により記録される情報の再生イメージを示す図である。
【図１１−３】従来の記録方式により記録される情報の再生イメージを示す図である。
【発明を実施するための形態】
【００２０】
以下に添付図面を参照して、この発明にかかる光情報記録方法よび装置の最良な実施の形態を詳細に説明する。
【００２１】
（実施の形態１）
実施の形態１にかかるホログラフィックメモリ記録再生装置１００は、図１に示すような光学系の主要構成を備えている。ホログラフィックメモリ記録再生装置１００は、光情報記録媒体１１１の情報記録層に情報を記録し、情報記録層に記録されている情報を読み出す。光情報記録媒体１１１においては、フォトポリマーが、例えばガラス基板により０．２ｍｍ〜２．０ｍｍの厚さで挟まれている。これにより、光情報記録媒体１１１に情報記録層が形成されている。この情報記録層に光が当たると、その部分の屈折率が変化する。これにより、光の強度分布が二光束干渉の結果であれば、その干渉縞による回折格子が書き込まれる。この回折格子として光情報記録媒体１１１に情報が記録される。
【００２２】
図１を参照しつつ、ホログラフィックメモリ記録再生装置１００における情報記録時の動作を説明する。レーザ光源１０１から発した平行光束はシャッタ１０２を通過しＰＢＳ（偏光ビームスプリッタ）１０３に入射する。ＰＢＳ１０３によりｓ偏光は反射し、情報光として用いられる。また、ｐ偏光は透過し、参照光として用いられる。反射したｓ偏光はシャッタ１０４を通過し、リレーレンズ１０５に入射する。ｓ偏光は、リレーレンズ１０５において、ある程度均一な強度でビームが空間光変調器１０７に入射するようにビーム径が拡大され平行光束となる。その後、平行光束は、反射ミラー１０６で反射された後、空間光変調器１０７により二次元バーコード状のページデータで振幅変調される。空間光変調器１０７としては、例えば透過型液晶表示装置、強誘電体型反射型液晶表示装置（ＦＬＣＯＳ）、ＤＭＤ（デジタル・マイクロミラー・デバイス）などを利用することができる。
【００２３】
振幅変調された情報光のビーム径はリレーレンズ１０８により、対物レンズ１１０の入射径に合わせた大きさに変換される。リレーレンズ１０８により一旦集光する場所に、ナイキストアパーチャ１０９が設置されている。この設置場所は、情報光が空間光変調器１０７により変調された強度分布のフーリエ変換面になっている。情報光のフーリエ変換像は光情報記録媒体１１１近辺の情報光と共役な関係になっており、このナイキストアパーチャ１０９のサイズにより、光情報記録媒体１１１付近での情報光のサイズが決まる。情報を記録する際には、光情報記録媒体１１１の媒体平面に平行な方向にスキャンするので、光情報記録媒体１１１付近での情報光のサイズが小さいほど、小さなステップで記録できる。すなわち、情報光のサイズが小さいほど、記録密度を高めることができる。したがって、ナイキストアパーチャ１０９をできるだけ小さくすることが望ましい。
【００２４】
対物レンズ１１０に入射した情報光はレンズパワーを与えられ、光情報記録媒体１１１近辺に集光する。集光位置は光情報記録媒体１１１内部に限らず、光情報記録媒体１１１の外でもよい。
【００２５】
一方、ＰＢＳ１０３を透過した参照光は、λ／２板１１２によりｓ偏光に変換される。反射ミラー１１３、１１４により反射された参照光は、リレーレンズ１１５により光情報記録媒体１１１上での情報光の径とほぼ同じビーム径に変換される。その後、参照光は、そのまま平行光束として、光情報記録媒体１１１に入射する。より詳しくは、光情報記録媒体１１１において、情報光が入射した媒体位置と同じ媒体位置に入射する。このとき情報光と参照光が干渉し、生じた干渉縞は光情報記録媒体１１１の情報記録層に屈折率変化として記録される。
【００２６】
角度多重記録においては、光情報記録媒体１１１を媒体面内方向に角度変化させつつ、上述のように、情報光と参照光とを光情報記録媒体１１１に同時に照射する。
【００２７】
ここで、光情報記録媒体１１１の情報記録層に固定したｘｙｚ直交座標系を考える。情報光および参照光による情報記録層の媒体面における記録スポットを原点として、光情報記録媒体１１１の厚み方向（すなわち、媒体面に垂直な方向）にｚ軸を、それに直交する方向、すなわち、情報記録層の面方向に互いに直交するｘ軸とｙ軸をとる。
【００２８】
本実施の形態にかかるホログラフィックメモリ記録再生装置１００は、上記ｙ軸周り（面内軸周り）のθｙ多重記録を行う。具体的には、システムコントローラ１４０は、アクチュエータ１３０を動作させ、光情報記録媒体１１１をｙ軸周りにθｙ角度ステップ（Δθｙ）ずつ回転（θｙ回転）させ、各角度において情報光と参照光とを光情報記録媒体１１１に同時に照射して情報を記録していく。θｙ回転により、情報光および参照光と光情報記録媒体１１１の間の相対角度が変化し、異なるページデータが記録される。ここで、θｙ角度ステップは、θｙ多重記録の際に、光情報記録媒体１１１をθｙ回転させる単位角度である。
【００２９】
なお、本実施の形態においては、光情報記録媒体１１１を回転させることにより情報光および参照光と光情報記録媒体１１１の間の相対角度を変化させたが、他の例としては、相対角度を変化させるために、光学部品を制御して参照光の射出方向を制御してもよい。この場合、反射ミラー１１４をガルバノミラーとし、その反射面と光情報記録媒体１１１上の記録箇所とで共役な関係になるように、リレーレンズ１１５を配する。そして、反射ミラー１１４を回転させることにより、相対角度を変化させる。
【００３０】
また、本実施の形態では、θy多重記録を行っているが、これに限定されるものではない。例えば、光情報記録媒体１１１を、ｚ軸周りにθz角度ステップずつ回転（θz回転）させながら情報を記録するθz多重記録を行うように構成してもよい。また、θy多重記録とθz多重記録とを併用した記録方式を採用してもよい。
【００３１】
光情報記録媒体１１１に記録される情報としては、ユーザ情報と管理情報とがある。ここで、ユーザ情報とは、ユーザからの指示により記録される情報である。管理情報は、光情報記録媒体１１１に記録されたユーザ情報を読み出す際に、ホログラフィックメモリ記録再生装置１００により利用される情報である。管理情報としては、光情報記録媒体１１１にユーザ情報を記録した際の温度や、ユーザ情報の記録時の情報光および参照光と光情報記録媒体１１１との間の相対角度を変化させる際の角度間隔や、ユーザ情報の記録時のレーザ光源１０１の波長などがある。
【００３２】
例えば、ユーザ情報の再生時に、記録時の温度を読み出すことにより、この温度に基づいて、再生時の最適な角度ピッチや、レーザ光源１０１の波長などの再生条件を特定することができる。同様に、記録時の角度ピッチやレーザ光源１０１の波長を記録しておくことにより、最適な再生条件を特定することができる。
【００３３】
また、すでにユーザ情報が記録されている場合には、アドレス情報を管理情報として記録してもよい。アドレス情報は、光情報記録媒体１１１においてユーザ情報が記録されている物理的な位置を示す情報である。再生時にアドレス情報を読み出すことにより、利用者の希望のユーザ情報が記録された記録位置を特定することができる。
【００３４】
また、記録ドライブの互換性を保つために記録された標準画像を管理情報として記録してもよい。例えば、記録ドライブの特性に応じた調整を行うような場合には、ある決まったパターンを示す標準画像を記録しておき、このパターンを利用して、画質などの調整を行うことができる。また、再生時に複数の再生像を合成するような場合には、必要な読み出し角度間隔を管理情報として記録してもよい。
【００３５】
以上のように、管理情報はユーザ情報を読み出す際に利用される情報である。このため、できるだけ早くかつ確実に読み出せることが望ましい。
【００３６】
次に、図１を参照しつつホログラフィックメモリ記録再生装置１００における情報再生時の動作を説明する。レーザ光源１０１から発した光はシャッタ１０２を通過し、記録時と同様、ＰＢＳ１０３によりｐ波は情報光、ｓ波は参照光となる。ただし、再生時にはシャッタ１０４が閉められている。これにより、情報光はここで遮断される。参照光は記録時動作と同様、平行光束となり光情報記録媒体１１１に照射される。システムコントローラ１４０はアクチュエータ１３０を動作させ、光情報記録媒体１１１のθｙ角度を適当な角度に設定する。これにより、光情報記録媒体１１１から再生条件が満たされた再生光が射出される。この再生光はレンズ１１６を通過し、二次元アレイセンサ１１７に入射する。二次元アレイセンサ１１７は、空間光変調器１０７により振幅変調されたイメージデータを取得する。このイメージデータは（図示しない）信号処理回路により処理され、データとして読み出される。二次元アレイセンサ１１７としては、例えば、ＣＣＤやＣＭＯＳなどの二次元イメージセンサを用いることができる。
【００３７】
次に、以上のように構成されたホログラフィックメモリ記録再生装置１００が管理情報を記録する管理情報記録処理について説明する。管理情報記録処理においては、図２に示すように、システムコントローラ１４０は、まず座標原点を光情報記録媒体１１１の所望の位置にセットする（ステップＳ１００）。さらに、θｙ角度を所望の角度にセットする（ステップＳ１０２）。次に、空間光変調器１０７は、変調された管理情報を表示する（ステップＳ１０４）。ここで、システムコントローラ１４０は、変数ｎに１をセットする（ステップＳ１０６）。次に、システムコントローラ１４０は、光情報記録媒体１１１に情報光と参照光を同時に一定時間照射する（ステップＳ１０８）。これにより、所定のページに管理情報が書き込まれる。
【００３８】
次に、システムコントローラ１４０は、同一の管理情報を続けて記録すべく、空間光変調器１０７に表示される管理情報を変更せずに、アクチュエータ１３０で光情報記録媒体１１１を回転させてθｙ角度をΔθｙ１だけ変更する（ステップＳ１１０）。次に、システムコントローラ１４０は、変数ｎを１加算する（ステップＳ１１２）。ステップＳ１０８からステップＳ１１２までの処理を変数ｎがＮになるまで繰り返す。以上の処理により、Δθｙ１×Ｎの記録角度範囲に渡って、同一の管理情報が記録される。
【００３９】
このように、同一の管理情報を連続する複数のページデータとして記録することにより、温度変化などにより最適な再生条件が得られない場合であっても、記録角度範囲内のいずれかのページデータの再生条件に合致すれば管理情報を読み出すことができる。
【００４０】
連続する管理情報のページデータは、十分にクロストークすることが望ましい。すなわち、Δθｙ１は、光情報記録媒体１１１への情報の記録時と再生時に想定される温度変化により発生するクロストークが生じる角度範囲内の値とする。クロストークする角度範囲内において同一の管理情報を記録しておくことにより、隣接する複数のページデータの一部が同時に再生された場合であっても、この再生像から管理情報を得ることができる。
【００４１】
図３は、隣接ページのクロストークを示す図である。図３に示すグラフの横軸は、多重角度を示している。縦軸は、回折効率を示している。一般的にθｙを変数としたときに記録済みの再生光の明るさはｓｉｎｃ関数の二乗に比例する。最初に０になる角度（第１ヌル角度）の間隔で２つのページデータを記録した場合、図３に示すように、隣接するピークのちょうど中間部における回折効率の和は、ピーク時の回折効率の約８割であり、クロストークが十分に生じていることがわかる。
【００４２】
さらに、隣接するページデータの角度間隔を変化させた場合、中間角度における回折効率は図４に示すように変化する。図４のグラフの横軸は、隣接ページデータの角度間隔を示している。なお、第１ヌル角度を１に正規化している。縦軸は、各角度間隔に対する中間角度におけるページデータの回折効率の和を示している。なお、１ページデータに対応する回折効率のピーク時の値を１に正規化している。図４に示すように、第１ヌル角度の２倍の角度においては、回折効率はほぼゼロになっている。すなわち、クロストークは生じていない。したがって、Δθｙ１は、第１ヌル角度の２倍の角度よりも小さい角度であることが望ましい。
【００４３】
さらに、クロストークが生じても確実に再生する観点から、上述のように、十分なクロストークが生じる記録角度範囲に渡り同一の管理情報を記録することが望ましい。したがって、Ｎは、例えば記録角度範囲（Δθｙ１×Ｎ）の値が第１ヌル角度よりも大きくなるような値であることが望ましい。
【００４４】
ステップＳ１０８からステップＳ１１２を繰り返して、所定の管理情報を記録した後、さらに他の管理情報を記録する場合には（ステップＳ１２０，Ｎｏ）、システムコントローラ１４０の指示によりアクチュエータ１３０は、θｙ角度をΔθｙ２だけ回転する（ステップＳ１２２）。ここで、Δθｙ２は、隣接するページデータとクロストークをしない角度であることが望ましい。すなわち、Δθｙ２は、最低でも第１ヌル角度よりも大きい角度であることが望ましい。
【００４５】
次に、システムコントローラ１４０は、空間光変調器１０７に表示する管理情報を変更する（ステップＳ１２４）。そして、変数ｎに再び１をセットして（ステップＳ１０６）、ステップＳ１０８からステップＳ１１２の処理を変数ｎがＮになるまで繰り返す。これにより、変更後の管理情報がΔθｙ１×Ｎの記録角度範囲に渡って記録される。以上の処理により、すべての管理情報が記録されると（ステップＳ１２０，Ｙｅｓ）、管理情報記録処理が終了する。
【００４６】
図５は、以上の処理により記録された管理情報Ａ、管理情報Ｂおよび管理情報Ｃのθｙ角度の関係を示す図である。図５に示すグラフの横軸はθｙ角度、縦軸は回折強度を示している。図５に示すように、管理情報Ａは、記録角度範囲（Δθｙ１×Ｎ）に渡って連続するページデータとして複数記録されている。さらに、管理情報Ａと管理情報Ｂの間、すなわち、管理情報Ａの終端角度と管理情報Ｂの始端角度の間は、クロストークが生じない角度Δθｙ２だけ離れている。
【００４７】
このように、同一の管理情報が記録角度範囲にわたって連続して記録されているので、再生時に最適な再生条件が得られなくとも記録角度範囲内のいずれかの角度に一致すれば所望の管理情報を読み出すことができる。また、各ページデータはクロストークが生じる角度間隔おきに記録されているので、隣接する複数のページデータの一部が同時に再生された場合であっても、これらは同一の管理情報であるので、この再生像から正確に管理情報を得ることができる。さらに、異なる管理情報間の角度間隔は、クロストークが生じない角度に設定してあるので、再生時には、それぞれの管理情報を正確に読み出すことができる。したがって、各管理情報を早くかつ確実に読み出すことができる。
【００４８】
図６を参照しつつ、ホログラフィックメモリ記録再生装置１００が、管理情報を再生する管理情報再生処理について説明する。管理情報再生処理においては、図６に示すように、システムコントローラ１４０は、まず光情報記録媒体１１１の所定の位置を座標原点としてセットする（ステップＳ２００）。次に、システムコントローラ１４０の指示によりアクチュエータ１３０は、光情報記録媒体１１１のθｙ角度を所望の角度にセットする（ステップＳ２０２）。ここで、θｙ角度は、管理情報が記録された記録角度範囲内の中間程度の角度が望ましい。
【００４９】
次に、参照光を光情報記録媒体１１１に照射する（ステップＳ２０４）。次に、二次元アレイセンサ１１７による再生像の取得と、信号処理回路による処理が行われる（ステップＳ２０６）。
【００５０】
さらに、他の管理情報を読み出す場合には（ステップＳ２０８，Ｙｅｓ）、アクチュエータ１３０は、光情報記録媒体１１１のθｙ角度を所定の角度（Δθｙ３）だけ回転させ、次の管理情報が記録される角度範囲の中間程度の角度にセットする（ステップＳ２１０）。そして、ステップＳ２０４に戻る。すべての管理情報を読み出すと（ステップＳ２０８，Ｎｏ）、管理情報再生処理が終了する。
【００５１】
ここで、図７を参照しつつ、管理情報再生時のθｙ角度について説明する。図７に示すグラフの横軸はθｙ角度、縦軸は回折強度を示している。例えば、管理情報Ａを再生する際には、ステップＳ２０２においては、管理情報Ａの記録角度範囲の中間付近の角度であるθｙＡをθｙ角度としてセットする。そして、θｙＡにおいて、参照光を照射することにより管理情報Ａを読み出す。続けて管理情報Ｂを読み出す場合には、ステップＳ２１０においてθｙ角度を所定の角度Δθｙ３だけ変化させ、管理情報Ｂが記録されている記録角度範囲の中間程度の角度であるθｙＢに設定する。そして、θｙＢにおいて、参照光を照射することにより管理情報Ｂを読み出す。これにより、管理情報Ａ、管理情報Ｂともに迅速かつ正確に再生することができる。
【００５２】
なお、上述のように、記録角度範囲にわたり同一の管理情報が記録されているので、θｙ角度は、厳密に記録角度範囲の中間の角度である必要はない。さらには、特定のページデータの再生条件に合わせる必要もない。再生条件からのずれにより再生像の輝度がばらついたとしても、必ず近接するどこかのページデータを読み出すことができる。
【００５３】
また、記録時と再生時の温度変化が大きく、クロストークが生じた場合には、複数のページの一部が並んで表示されることがあるが、同一の管理情報が記録されているので、図８に示すように、複数ページの再生像がつながり、１つの管理情報を得ることができる。このため、特別な波長調整や角度調整を行わずに所定の管理情報を再生することができる。したがって、早くかつ確実に管理情報を再生することができる。
【００５４】
以上のように、再生条件を正確に合わせる必要がなく、またクロストークが生じても正確な再生像としての管理情報を得ることができるので、光記録媒体１１１を装置にセットしてから、ユーザ情報を再生するまでの時間を大幅に短縮することができる。
【００５５】
なお、実施の形態１にかかるホログラフィックメモリ記録再生装置１００の変更例としては、空間光変調器１０７は、図９に示すように、２ピクセルで１ビットの情報を表現してもよい。さらに他の例としては、図１０に示すように、２列２行の４ピクセルで１ビットの情報を表現してもよい。
【００５６】
隣接ページの一部が並んで再生される場合に、参照光および情報光と光記録媒体１１１の間の相対角度が記録時と再生時とで大きく異なる場合には、再生像の位置がずれる場合がある。この場合、ビット誤り率が上がってしまう。そこで、上述のように、複数のピクセルで１ビットを表現することにより、ビット誤り率（ｂＥＲ）を低下させることができる。これにより、情報量は低下するものの、１ビットに対する相対的な位置ずれ量を低減することができ、安定して再生像を読み出すことができる。
【００５７】
（実施の形態２）
実施の形態２にかかるホログラフィックメモリ記録再生装置は、所定のθｙ角度範囲において管理情報を連続的に記録する。実施の形態１にかかるホログラフィックメモリ記録再生装置は、θｙ角度を変更し、所定の角度に設定した後、レーザ光源から光を射出する。そして、一旦光の射出を止める。その後、再度θｙ角度を変更し、所定の角度に設定して、レーザ光源から光を射出する。このようにしてΔθｙ１間隔で管理情報を記録する。
【００５８】
これに対し、実施の形態２にかかるホログラフィックメモリ記録再生装置においては、レーザ光源からの光を露光し続けたまま、θｙ角度を所定のθｙ角度からΔθｙ１×Ｎの記録角度範囲で変更する。これにより、Δθｙ１×Ｎの記録角度範囲においてアナログ的に連続した管理情報が記録される。なお、アクチュエータ１３０がデジタル式に角度変化する場合には、アクチュエータ１３０の制御可能な最小単位またはΔθｙ１以下の所定の単位で角度変化させ、記録角度範囲内を角度変化させている間、レーザ光源から光を露出し続ける。
【００５９】
このように、連続して管理情報を記録することにより、再生条件からのずれに起因して再生像の輝度にばらつきが生じるような場合において、輝度のばらつきを低減することができる。したがって、より精度よく管理情報を再生することができる。
【００６０】
なお、実施の形態２にかかるホログラフィックメモリ記録再生装置のこれ以外の構成および動作は、実施の形態にかかるホログラフィックメモリ記録再生装置の構成および動作と同様である。
【符号の説明】
【００６１】
１００  ホログラフィックメモリ記録再生装置
１０１  レーザ光源
１０３  ＰＢＳ
１０２，１０４  シャッタ
１０５，１０８，１１５  リレーレンズ
１０６，１１３，１１４  反射ミラー
１０７  空間光変調器
１０９  ナイキストアパーチャ
１１０  対物レンズ
１１１  光情報記録媒体
１１２  λ／２板
１１６  レンズ
１１７  二次元アレイセンサ
１３０  アクチュエータ
１４０  システムコントローラ
【図１】
2010225243.tif 000003
【図２】
2010225243.tif 000004
【図３】
2010225243.tif 000005
【図４】
2010225243.tif 000006
【図５】
2010225243.tif 000007
【図６】
2010225243.tif 000008
【図７】
2010225243.tif 000009
【図８】
2010225243.tif 000010
【図９】
2010225243.tif 000011
【図１０】
2010225243.tif 000012
【図１１−１】
2010225243.tif 000013
【図１１−２】
2010225243.tif 000014
【図１１−３】
2010225243.tif 000015